(57)【特許請求の範囲】
【請求項１】
ネットワークを介してデータ提供装置とデータ通信が可能な通信装置において、
保守対象機器を識別する識別情報を取得する取得手段と、
該取得手段が取得した識別情報を前記データ提供装置へ送信する送信手段と、
該送信手段が送信した識別情報に応じて前記データ提供装置から送信される前記保守対象機器が設置された場所における該保守対象機器の画像を受信する受信手段と、
該受信手段が受信した画像を表示する表示手段と
を備えることを特徴とする通信装置。
【請求項２】
前記保守対象機器が設置された場所における該保守対象機器の画像を撮影する撮影手段と、
該撮影手段により撮影した画像を、前記保守対象機器の識別情報とともに前記データ提供装置へ送信する手段と
を更に備えることを特徴とする請求項１に記載の通信装置。
【請求項３】
前記識別情報は、前記保守対象機器が設置された場所の位置情報を含むことを特徴とする請求項１又は請求項２に記載の通信装置。
【発明の詳細な説明】
【技術分野】
【０００１】
本発明は、必要な保守データを保守対象機器に供給し、保守対象機器の保守作業を行うことが可能な通信装置に関する。
【背景技術】
【０００２】
業務に直結したコンピュータシステムを構築する各機器に故障又は誤動作等の障害が発生し、システムダウンした場合、コンピュータシステムの速やかな復旧が要求される。このため、保守作業にかかる時間を短縮できる様々な保守システムが提案されている。例えば、特許文献１に記載されている保守システムは、保守用の装置及び保守対象の機器の夫々に携帯電話機を接続し、携帯電話機を介して、保守用の装置から、保守対象の機器の遠隔操作が可能となっている。これにより、保守員は、機器の設置場所に赴かなくても、遠隔地より保守用の装置から保守対象の機器にアクセスできるため、保守の依頼に迅速に対応することができる。
【先行技術文献】
【特許文献】
【０００３】
【特許文献１】特開２００３−２３６７７号公報
【発明の概要】
【発明が解決しようとする課題】
【０００４】
しかしながら、近年は、セキュリティ上の理由から外部からのアクセスを拒まれることが多いため、特許文献１の保守システムのように、遠隔操作により保守作業を行うことが困難となっている。また、例えば、基板又は部品の交換等、遠隔地からでは保守を行えない障害が発生した場合には、保守員が現場に赴く必要がある。そして、交換した基板にプログラムを組み込み、又は、設定を行う必要があると判明した場合に、保守員が必要なデータを用意していない可能性がある。このような場合、保守員が出直すか、又は、他の保守員に連絡する等の必要があり、保守作業の効率が悪くなるという問題が発生する。
【０００５】
また、例えば、プログラムの組み込み、又は、プログラムのバージョンアップ等の作業を行う場合、不慣れな保守員が、誤って別のプログラムを組み込み、誤作動を引き起こす人為的ミスが発生する場合がある。
【０００６】
本発明はかかる事情に鑑みてなされたものであり、その目的とするところは、保守対象機器の識別情報を取得し、取得した識別情報を送信し、送信した識別情報に応じて送信される保守対象機器が設置された場所における保守対象機器の画像を受信して表示する構成とすることにより、関係のない保守対象機器に関する保守データを取得するといった人為的なミスを低減できる通信装置を提供することにある。
【課題を解決するための手段】
【０００７】
本願の通信装置は、ネットワークを介してデータ提供装置とデータ通信が可能な通信装置において、保守対象機器を識別する識別情報を取得する取得手段と、該取得手段が取得した識別情報を前記データ提供装置へ送信する送信手段と、該送信手段が送信した識別情報に応じて前記データ提供装置から送信される前記保守対象機器が設置された場所における該保守対象機器の画像を受信する受信手段と、該受信手段が受信した画像を表示する表示手段とを備える。
【発明の効果】
【０００８】
本願では、関係のない保守対象機器に関する保守データを取得するといった人為的なミスを低減できる。
【図面の簡単な説明】
【０００９】
【図１】本実施の形態に係る保守システムを説明するための模式図である。
【図２】図１の携帯電話機の構成を示すブロック図である。
【図３】サーバ装置に格納される管理データテーブルの一例を示す模式図である。
【図４】（ａ）は、携帯電話機に表示されるメニュー画面の一例を示す図、（ｂ）は、携帯電話機に表示される入力画面の一例を示す図、（ｃ）は、携帯電話機に表示される読取画面の一例を示す図である。
【図５】携帯電話機に表示される情報画面の一例を示す図である。
【図６】携帯電話機が実行する保守処理を示すフローチャートである。
【図７】サーバ装置が実行するデータ管理処理を示すフローチャートである。
【図８】保守作業を行う際の手順を説明するためのフローチャートである。
【図９】携帯電話機を他の装置を介して保守対象機器に接続した場合の一例を示す模式図である。
【図１０】電子ペーパ装置を用いた場合の一例を示す模式図である。
【発明を実施するための形態】
【００１０】
以下、本発明の実施の形態について、図面を参照して説明する。本発明の保守システムは、例えば、企業内に構築されるネットワークシステムを構成するサーバ、モデム、又はルータ等の機器に誤作動又は故障等の障害が発生し、保守員が、各機器の設置場所に赴き保守作業を行う場合に、好適に用いられる。以下の説明において、保守員が保守作業を行う機器を、保守対象機器と言う。
【００１１】
図１は、本実施の形態に係る保守システムを説明するための模式図である。
【００１２】
本実施の形態の保守システムは、保守対象機器４に接続する携帯電話機１、及び、基地局５及び通信回線３を介して携帯電話機１とデータの送受信が可能なサーバ装置２を備えている。通信回線３は、一般の電話回線であってもよいし、専用回線であってもよい。また、基地局５は、通信回線３に接続され、移動する携帯電話機１と電波の送受を行い、通信回線３を介して、携帯電話機１によるデータ通信又は音声通話を可能にするための無線基地局である。
【００１３】
まず、保守システムにより保守作業を行う保守対象機器４の構成について説明する。保守対象機器４は、交換可能な基板４１及び入出力部４２を備えている。基板４１は、複数の回路素子が組み込まれ、また、プリント配線が施されており、例えば、集積回路を形成する。基板４１は、ソフトウェア部４３を有しており、ソフトウェア部４３に処理プログラムが組み込まれることで、基板４１が正常に動作するようになる。入出力部４２は、例えば、ＵＳＢ（Universal Serial Bus）端子であって、ＵＳＢケーブルにより携帯電話機１が接続され、携帯電話機１とのデータ通信を可能にする。
【００１４】
接続された携帯電話機１からは保守プログラム(保守データ)が供給され、その保守プログラムが入出力部４２を介してソフトウェア部４３に組み込まれる。保守プログラムとは、保守対象機器４のソフトウェア部４３に組み込む処理プログラム、又は処理プログラムを更新、若しくは、修正等を行う更新プログラムであり、後述のように、サーバ装置２に格納され、携帯電話機１を介して保守対象機器４に供給される。
【００１５】
なお、本実施の形態では、保守対象機器４の基板４１に障害が発生し、保守対象機器４に対して保守作業を行うものとして説明する。そして、保守作業とは、基板４１を交換し、新たな基板４１のソフトウェア部４３に処理プログラムを組み込む作業、又は、ソフトウェア部４３のプログラムを更新又は修正する更新プログラムを組み込む作業を言う。
【００１６】
次に、保守システムの携帯電話機１の構成について説明する。図２は、図１に示す携帯電話機１の構成を示すブロック図である。携帯電話機１は、サーバ装置２に保守対象機器４の機器データを登録し、保守作業時にサーバ装置２から保守対象機器４の保守プログラムを受信する通信装置である。なお、機器データとは、保守対象機器４の種類、名称、製造番号、及び設置場所等、保守対象機器４に関するデータを言う。
【００１７】
携帯電話機１は、マイクロコンピュータ１０、操作部１１、表示部１２、ＣＣＤ（Charge−Coupled Device）カメラ１３、入出力部１４、二次電池１５、無線部１６、音声制御部１７及び不揮発性メモリ１８を備えている。
【００１８】
マイクロコンピュータ１０は、図示しないＣＰＵ（Central Processing Unit）、ＲＯＭ（Read Only Memory）、及びＲＡＭ（Random Access Memory）等から構成され、後述の図６に示す処理を実行し、携帯電話機１が備える各部の制御を行う。操作部１１は、数字又は文字等の入力キーを有し、各種入力キーの操作を検知してマイクロコンピュータ１０に対して出力する。表示部１２は、マイクロコンピュータ１０が決定した各種画像を表示する。ＣＣＤカメラ１３は、画像データを得るための撮像手段であり、撮像結果をマイクロコンピュータ１０に出力する。
【００１９】
入出力部１４は、保守対象機器４の入出力部４２と同様に、例えば、ＵＳＢ端子であって、ＵＳＢケーブルを介して保守対象機器４との接続を可能にし、保守対象機器４へ保守プログラムの出力を行う。また、入出力部１４は、保守対象機器４が接続された場合、保守対象機器４との接続を検知する。なお、携帯電話機１と保守対象機器４との通信は、赤外線又はその他の電波による無線通信を行うようにしてもよい。
【００２０】
二次電池１５は、マイクロコンピュータ１０に電力を供給し、携帯電話機１の動作を可能にする電力源である。無線部１６は、アンテナ１６ａを介して基地局５と電波の送受を行い、送信される電波の変調及び受信した電波の復調を行う。サーバ装置２とのデータ通信は、アンテナ１６ａ及び無線部１６を介して行われる。音声制御部１７は、無線部１６が受信した受信信号をスピーカ１７ｂから出力し、マイク１７ａより入力される音声信号をデジタルデータに変換して無線部１６に出力する。
【００２１】
不揮発性メモリ１８は、例えば、ＣＣＤカメラ１３により撮像されて得られる画像データ、操作部１１から入力されるデータ、サーバ装置２から受信するデータ、及びマイクロコンピュータ１０が実行するアプリケーションプログラム等、各種データ又はプログラムを不揮発的に記憶する。
【００２２】
以上のように構成された携帯電話機１は、不揮発性メモリ１８に記憶された保守アプリケーションプログラムを実行することで、保守作業を開始でき、保守対象機器４を特定する識別データを取得し、取得した識別データをサーバ装置２に対して送信することで、保守対象機器４の保守プログラムを受信する。そして、携帯電話機１は、受信した保守プログラムを不揮発性メモリ１８に記憶し、入出力部１４に接続される保守対象機器４に供給する。
【００２３】
なお、本実施の形態では、識別データとは、保守対象機器４に割り当てられたシリアル番号を言う。このシリアル番号は、操作部１１により直接入力してもよいし、シリアル番号がエンコードされたバーコード又は２次元コード等の画像をＣＣＤカメラ１３により撮像し、得られた画像データを解析して取得するようにしてもよい。
【００２４】
次に、保守システムのサーバ装置２の構成について説明する。サーバ装置２は、保守対象機器４の機器データを、保守情報データと共に管理データとして記憶し、携帯電話機１から要求された保守プログラムを携帯電話機１に送信するデータ提供装置である。保守情報データとは、サーバ装置２に記憶される保守プログラムの記憶先を示すアドレスである。
【００２５】
サーバ装置２は、図１に示すように、制御部２０、大容量記憶装置２１、及び通信部２２を備えており、各部がデータバス２３を介して接続されている。制御部２０は、ＣＰＵ、ＲＯＭ、及びＲＡＭ等から構成されており、各種コマンドに従って、後述の図７に示す処理を実行する。通信部２２は、通信回線３及び基地局５を介して、携帯電話機１とのデータ通信を可能にする。大容量記憶装置２１は、制御部２０によりデータの読み出し又は書き込みが可能な記憶手段であって、例えば、図３に示すデータテーブルのように各種データをデータベース形式で格納している。
【００２６】
図３は、サーバ装置２に格納される管理データテーブルの一例を示す模式図である。管理データテーブルには、識別データ欄、機器データ欄、及び保守情報データ欄が設定されている。識別データ欄には、携帯電話機１から登録された、保守対象機器４のシリアル番号が格納されている。機器データ欄には、保守対象機器４の種類欄、名称欄、製造番号欄、及び、設置場所欄が設定されている。保守情報データ欄には、処理プログラム欄、及び更新プログラム欄が設定されている。そして、シリアル番号と同時に登録された各種データが、シリアル番号に対応付けられて各欄に格納される。なお、機器データ欄に格納される設置場所欄には、保守対象機器４の設置場所の画像が登録されている場合に、画像が記憶された領域のアドレスが格納されている。処理プログラム欄には、処理プログラムが記憶された領域のアドレスが格納され、更新プログラム欄には、更新プログラムが記憶された領域のアドレスが格納されている。
【００２７】
図３のデータテーブルにより、サーバ装置２は、携帯電話機１から受信した識別データに対応する管理データを、携帯電話機１に送信することが可能となる。
【００２８】
次に、保守作業を行う際に、携帯電話機１の表示部１２に表示される操作画面について説明する。
【００２９】
図４（ａ）は、携帯電話機１に表示されるメニュー画面の一例を示す図であり、図４（ｂ）は、携帯電話機１に表示される入力画面の一例を示す図である。また、図４（ｃ）は、携帯電話機１に表示される読取画面の一例を示す図である。図５は、携帯電話機１に表示される情報画面の一例を示す図である。
【００３０】
図４（ａ）に示すメニュー画面は、保守アプリケーションプログラムを実行し、保守作業を開始する際に表示される画面であって、保守対象機器４の識別データをサーバ装置２に送信し、保守対象機器４の管理データを受信するのか、サーバ装置２に新たな管理データを登録するのかの選択を行う。具体的には、メニュー画面では、シリアル番号を操作部１１から直接入力する操作（以下、操作１と言う）、シリアル番号がエンコードされた画像を撮像してシリアル番号を入力する操作（以下、操作２と言う）、及び、保守対象機器４の管理データの登録、又は変更する操作（以下、操作３と言う）の何れかが選択可能である。なお、操作３は、サーバ装置２に保守対象機器４の管理データが登録されていない場合、又は、サーバ装置２に登録された管理データを変更する場合に選択される。
【００３１】
図４（ｂ）に示す入力画面は、図４（ａ）に示すメニュー画面において、操作１が選択された場合に表示される画面である。入力画面には、操作部１１の入力キーによりシリアル番号を入力するテキストボックス５０と、テキストボックス５０に入力されたシリアル番号のサーバ装置２への送信を実行する送信ボタン５１とが表示される。
【００３２】
図４（ｃ）に示す読取画面は、図４（ａ）に示すメニュー画面において、操作２が選択された場合に表示される画面である。読取画面には、ＣＣＤカメラ１３により撮像する画像を表示する画像ボックス５２、ＣＣＤカメラ１３により撮像された画像を解析することで取得されたシリアル番号を表示する表示ボックス５３、及び取得されたシリアル番号をサーバ装置２への送信を実行する送信ボタン５４が表示される。
【００３３】
図５に示す情報画面は、サーバ装置２から管理データを受信した場合に表示される画面である。この情報画面には、図４（ｂ）に示す入力画面、又は図４（ｃ）に示す読取画面において、送信したシリアル番号に対応する保守対象機器４の種類、名称、及び製造番号等が表示される。また、情報画面には、保守対象機器４の設置場所の画像データの受信を開始するリンク５５、送信したシリアル番号に対応する保守対象機器４に組み込む処理プログラムの受信を開始するリンク５６、及び、送信したシリアル番号に対応する保守対象機器４の更新プログラムの受信を開始するリンク５７がそれぞれ表示される。
【００３４】
なお、画像を受信するリンク５５、及び更新プログラムを受信するリンク５７は、サーバ装置２に設置場所の画像データ及び更新プログラムが登録されていない場合には、非表示となる。このように、設置場所の画像を確認できるようにすることで、保守員は、保守対象機器４が、保守作業を行う機器であるかの確認を行うことができ、人為的ミスを低減できる。また、更新プログラムを受信するリンク５７が表示されることで、保守員に、処理プログラムの更新又は修正が必要であることを間接的に報知することができる。
【００３５】
次に、保守システムを構成する携帯電話機１及びサーバ装置２のそれぞれの動作について説明することで、保守システムの動作を説明する。
【００３６】
まず、携帯電話機１の動作について図６を参照して説明する。図６は、携帯電話機１が実行する保守処理を示すフローチャートである。携帯電話機１のマイクロコンピュータ１０は、不揮発性メモリ１８に格納される保守アプリケーションプログラムを実行することで、図６の処理を開始する。まず、マイクロコンピュータ１０は、サーバ装置２との通信を確立すると共に（Ｓ１）、図４（a）のメニュー画面を表示部１２に表示する（Ｓ２）。
【００３７】
次に、マイクロコンピュータ１０は、メニュー画面において、操作１又は操作２が選択、即ち、識別データをサーバ装置２に送信する操作が選択されたか否かを判定する（Ｓ３）。メニュー画面において操作１又は操作２が選択された場合（Ｓ３：ＹＥＳ）、マイクロコンピュータ１０は、メニュー画面において選択された方法で入力された識別データを不揮発性メモリ１８に記憶する（Ｓ４）。
【００３８】
例えば、操作１が選択された場合、マイクロコンピュータ１０は、図４（ｂ）の入力画面を表示し、保守員が操作部１１の入力キーにより入力画面に入力したシリアル番号を記憶する。また、操作２が選択された場合、マイクロコンピュータ１０は、図４（ｃ）の読取画面を表示し、ＣＣＤカメラ１３を駆動する。そして、シリアル番号がコード化された画像が撮像され、その結果得られた画像データを解析（デコード）し、読取画面の表示ボックス５３に表示したシリアル番号を記憶する。
【００３９】
次に、マイクロコンピュータ１０は、入力画面又は読取画面の送信ボタン５１、５４が操作されるまで待機し、操作された場合に、不揮発性メモリ１８に記憶した識別データ（シリアル番号）をサーバ装置２に送信する（Ｓ５）。そして、マイクロコンピュータ１０は、送信した識別データに対応する管理データを受信し（Ｓ６）、受信した管理データに基づいて、図５に示す情報画面を表示する（Ｓ７）。
【００４０】
続いて、マイクロコンピュータ１０は、情報画面において表示された受信可能な保守プログラムが選択されたか否かを判定する（Ｓ８）。即ち、情報画面において、処理プログラムの受信を開始するリンク５６、又は、更新プログラムを受信するリンク５７が選択されたか否かを判定する。受信可能な保守プログラムが選択されていない場合（Ｓ８：ＮＯ）、マイクロコンピュータ１０は、選択されるまで待機する。この場合において、画像を受信するリンク５５が選択された場合、マイクロコンピュータ１０は、サーバ装置２から設置場所の画像データを受信する。また、所定時間経過しても選択されない場合は、保守処理を終了するようにしてもよいし、保守員に選択を促す画面を表示するようにしてもよい。
【００４１】
受信可能な保守プログラムが選択された場合（Ｓ８：ＹＥＳ）、マイクロコンピュータ１０は、サーバ装置２から、選択された保守プログラムの受信を開始する（Ｓ９）。例えば、図５に示す情報画面において、処理プログラムの受信を開始するリンク５６が選択された場合、サーバ装置２に対して、処理プログラムの要求信号を送信し、サーバ装置２から処理プログラムを、例えばパケット単位で受信する。従って、携帯電話機１により、保守対象機器４の識別データをサーバ装置２に送信するだけで、保守作業を行う保守員は、作業現場に居ながら保守作業に必要な保守プログラムを取得することができる。
【００４２】
次に、マイクロコンピュータ１０は、受信した保守プログラムを不揮発性メモリ１８に記憶する（Ｓ１０）。そして、マイクロコンピュータ１０は、保守対象機器４が接続されているか否かを判定する（Ｓ１１）。保守対象機器４が接続されていなければ（Ｓ１１：ＮＯ）、マイクロコンピュータ１０は、保守対象機器４が接続されるまで待機する。保守対象機器４が接続されている場合（Ｓ１１：ＹＥＳ）、マイクロコンピュータ１０に、不揮発性メモリ１８に記憶した保守プログラムを保守対象機器４に供給する（Ｓ１２）。その後、マイクロコンピュータ１０は、サーバ装置２との通信を終了し（Ｓ１３）、保守処理を終了する。
【００４３】
これにより、保守対象機器４に接続した携帯電話機１を、保守プログラムを記憶した外部記憶媒体とした用途が可能となる。そして、保守対象機器４が備える基板４１を交換した場合に、基板４１のソフトウェア部４３に携帯電話機１から処理プログラムを供給し、基板４１を正常に動作させることができる。また、基板４１のソフトウェア部４３に組み込まれた処理プログラムに不具合があった場合に、携帯電話機１からソフトウェア部４３に更新プログラムを供給し、不具合を修正することができる。
【００４４】
一方、Ｓ３において、操作１又は操作２が選択されていない場合（Ｓ３：ＮＯ）、マイクロコンピュータ１０は、メニュー画面において操作３が選択されたか否かを判定する（Ｓ１４）。メニュー画面において操作３が選択されていない場合（Ｓ１４：ＮＯ）、マイクロコンピュータ１０は、処理をＳ３に戻す。メニュー画面において操作３が選択された場合（Ｓ１４：ＹＥＳ）、マイクロコンピュータ１０は、登録・変更画面（図示せず）を表示する（Ｓ１５）。登録・変更画面では、保守対象機器４のシリアル番号、保守対象機器４の設置場所の画像データ、又はその他必要なデータが入力される。
【００４５】
そして、マイクロコンピュータ１０は、登録・変更画面において入力された各データを、登録データとしてサーバ装置２に送信する（Ｓ１６）。これにより、サーバ装置２において、保守対象機器４の管理データが登録、又は変更される。その後、マイクロコンピュータ１０は、処理をＳ１３に移し、サーバ装置２との通信を終了し（Ｓ１３）、保守処理を終了する。
【００４６】
なお、図６の保守処理では、Ｓ１１において、保守対象機器４の接続を確認しているが、保守処理の開始時に、接続を確認するようにしてもよいし、接続が確認されるまで、保守処理が開始されないようにしてもよい。また、保守対象機器４の接続が確認された場合に、保守プログラムの供給が開始されているが、保守員の操作により、供給が開始されるようにしてもよい。
【００４７】
次に、保守システムのサーバ装置２の動作について図７を参照して説明する。図７は、サーバ装置２が実行するデータ管理処理を示すフローチャートである。
【００４８】
まず、サーバ装置２の制御部２０は、携帯電話機１と通信を確立し（Ｓ２０）、携帯電話機１から識別データを受信したか否かを判定する（Ｓ２１）。識別データを受信した場合（Ｓ２１：ＹＥＳ）、制御部２０は、例えば、図３の管理データテーブルに基づいて、識別データに対応する管理データを検出する（Ｓ２２）。そして、制御部２０は、検出した管理データを携帯電話機１に送信する（Ｓ２３）。この場合において、識別データに対応する管理データが検出できない場合、新たに管理データを登録する登録処理を行うようにしてもよいし、携帯電話機１に対してエラーを報知するようにしてもよい。
【００４９】
次に、制御部２０は、携帯電話機１から要求信号を受信したか否かを判定する（Ｓ２４）。上述のように、要求信号は、携帯電話機１において、表示された情報画面に表示される受信可能な保守プログラムが選択された場合に、携帯電話機１から送信される。携帯電話機１から要求信号を受信ない場合（Ｓ２４：ＮＯ）、制御部２０はＳ２４を繰り返す。要求信号を受信した場合（Ｓ２４：ＹＥＳ）、制御部２０は、要求信号に基づく保守プログラムを携帯電話機１に送信する（Ｓ２５）。例えば、要求信号が、処理プログラムを要求する要求信号であれば、図３のテーブルに格納される処理プログラムのアドレスを参照し、そのアドレス先から処理プログラムを取得し、携帯電話機１に送信する。そして、制御部２０は、携帯電話機１との通信を終了し（Ｓ２６）、データ管理処理を終了する。
【００５０】
一方、Ｓ２１において、識別データを受信していない場合（Ｓ２１：ＮＯ）、制御部２０は、携帯電話機１から登録データを受信したか否かを判定する（Ｓ２７）。登録データを受信していなければ（Ｓ２７：ＮＯ）、制御部２０は、処理をＳ２１に戻す。登録データを受信した場合（Ｓ２７：ＹＥＳ）、制御部２０は、登録データに基づいて、新たに保守対象機器４の管理データを登録、又は、既に登録されている機器情報を変更し（Ｓ２８）、処理をＳ２６に移す。そして、制御部２０は、携帯電話機１との通信を終了し（Ｓ２６）、データ管理処理を終了する。
【００５１】
次に、上述のように動作する携帯電話機１及びサーバ装置２を備える保守システムにおいて、保守員が保守作業を行う際の手順について説明する。
【００５２】
図８は、保守作業を行う際の手順を説明するためのフローチャートである。
【００５３】
保守対象機器４に障害が発生した場合（Ｓ３０）、保守員は、例えば、保守対象機器４の基板４１の交換等を行い、携帯電話機１を保守対象機器４に接続する（Ｓ３１）。そして、保守アプリケーションプログラムを実行し、図４（ａ）に示すメニュー画面に従い、携帯電話機１に保守対象機器４の識別データを入力する（Ｓ３２）。そして、保守員は、携帯電話機１に入力した識別データをサーバ装置２に送信する（Ｓ３３）。携帯電話機１から送信した識別データに対応する、保守対象機器４の管理データを、携帯電話機１で取得する（Ｓ３４）。
【００５４】
次に、保守員は、取得した管理データに基づいて表示される、図５の情報画面に従って、サーバ装置２に必要な保守プログラムを携帯電話機１から要求し（Ｓ３５）、携帯電話機１で要求した保守プログラムをサーバ装置２から受信する（Ｓ３６）。そして、受信した保守プログラムを携帯電話機１から保守対象機器４に供給する（Ｓ３７）。
【００５５】
以上、説明したように、本実施の形態の保守システムは、保守対象機器４の保守に必要な保守プログラムが登録されるサーバ装置２に対して、携帯電話機１から、保守対象機器４を特定する識別データ（シリアル番号）を送信する。そして、送信した識別データに対応する保守プログラムを携帯電話機１で受信し、携帯電話機１に記憶する。その後、携帯電話機１と接続した保守対象機器４へ記憶した保守プログラムを供給する。
【００５６】
これにより、保守員は、必要な保守プログラムを持っていかず、保守対象機器４の設置現場に出向いた場合であっても、作業現場で携帯電話機１により必要な保守プログラムを取得することができる。また、識別データに基づいて必要な保守プログラムを受信することができるため、保守員が誤って別の保守プログラムにより保守対象機器４の保守処理を行うといった人為的ミスを無くすことができる。
【００５７】
図９は、携帯電話機１を他の装置を介して保守対象機器４に接続した場合の一例を示す模式図である。本実施の形態は、保守システムを構成する携帯電話機１が、保守対象機器４に直接接続しているが、保守対象機器４が携帯電話機１を直接接続できない機器である場合、図９に示すように、例えば、パーソナルコンピュータ（以下、パソコンと言う）８と有線又は無線接続し、パソコン８を介して保守対象機器４に携帯電話機１を接続する構成としてもよい。この場合、保守員は、パソコン８から識別データを入力し、携帯電話機１の通信機能を用いて、サーバ装置２に送信し、サーバ装置２から受信した保守プログラムを携帯電話機１に記憶するようにしてもよい。
【００５８】
また、サーバ装置２から携帯電話機１に送信する管理データには、他のデータを含め、保守対象機器４以外の他の外部装置に転送できるようにしてもよい。図１０は、電子ペーパ装置を用いた場合の一例を示す模式図である。電子ペーパ装置９は、携帯電話機１と無線通信が可能で、受信したデータを消去可能に記憶し、記憶したデータを表示する表示画面９ａを有している。そして、例えば、管理データに、保守対象機器４のマニュアルデータ等が含まれている場合、保守員は、携帯電話機１が受信した管理データに含まれるマニュアルデータを電子ペーパ装置９に転送することで、電子ペーパ装置９で、マニュアルを確認することができる。この場合、作業現場で、必要なマニュアルを取得し、確認できるため、例えば、マニュアルが機密情報である場合、マニュアルが印刷された紙を保守員が外部に持ち出し、紛失又は盗難等、機密情報が漏洩することを防ぐことができる。
【００５９】
また、本実施の形態では、保守対象機器４の識別データをシリアル番号としているが、識別データを、保守対象機器４の設置場所の位置データとしてもよい。例えば、携帯電話機１のＣＣＤカメラ１３により、設置場所を撮像し、その結果得られた設置場所の画像データを、保守対象機器４を特定する識別データとしてもよい。この場合、図７のフローチャートにおける、Ｓ２２において、携帯電話機１から送信された画像データと相似する画像データを、サーバ装置２の大容量記憶装置２１から検出するテンプレートマッチング処理を行い、処理の結果、相似度が基準値以上となる画像データを大容量記憶装置２１から決定し、その画像データに設定される管理データを検出する。これにより、保守員は、シリアル番号が分からない場合であっても、ＣＣＤカメラ１３で設置場所を撮像することで、必要な管理データを取得することができる。
【００６０】
また、識別データを保守対象機器４の設置場所の位置データとした場合に、ＧＰＳ（Global Positioning System）により携帯電話機１が取得した位置データとしてもよい。また、保守対象機器４の識別データは、シリアル番号又は設置場所の位置データ以外に、ＭＡＣ（Media Access Control）アドレス、又は製造番号であってもよい。かかる識別データは、携帯電話機１を保守対象機器４に接続した場合に、保守対象機器４から自動で取得できるようにしてもよい。
【００６１】
さらに、本実施の形態では、保守作業において、携帯電話機１から保守対象機器４の基板４１に保守プログラムを供給しているが、保守対象機器４が、ＯＳ（Operation System）が動作する機器であって、そのＯＳの設定データを携帯電話機１から供給するようにした保守システムであってもよい。また、事前に保守対象機器４の設定データをサーバ装置２にバックアップしておき、そのバックアップデータを、携帯電話機１を介して保守対象機器４に供給するようにしてもよい。
【００６２】
以上、本発明の好適な一実施の形態について、具体的に説明したが、各構成及び動作等は適宜変更可能であって、上述の実施の形態に限定されることはない。
【符号の説明】
【００６３】
１  携帯電話機
２  サーバ装置
３  通信回線
４  保守対象機器
５  基地局
２０  制御部
２１  大容量記憶装置
２２  通信部
４１  基板
４２  入出力部
４３  ソフトウェア部
【図１】
0005447717.tif 000002
【図２】
0005447717.tif 000003
【図３】
0005447717.tif 000004
【図４】
0005447717.tif 000005
【図５】
0005447717.tif 000006
【図６】
0005447717.tif 000007
【図７】
0005447717.tif 000008
【図８】
0005447717.tif 000009
【図９】
0005447717.tif 000010
【図１０】
0005447717.tif 000011